(57)【特許請求の範囲】
【請求項１】
互いに異なる音を表す音情報ごとに当該音情報と当該音情報に対応づけられた画像とを含む変換情報を、外部装置から受け取る第１受取手段と、
画像情報を端末装置から受け取る第２受取手段と、
前記変換情報を参照して、前記画像情報が表す画像に対応づけられた音情報を検索する検索手段と、
前記検索手段が検索した音情報を、前記外部装置に送信する送信手段と、を含む電子機器。
【請求項２】
請求項１に記載の電子機器において、
前記互いに異なる音は、日本語の５０音である、電子機器。
【請求項３】
電子機器が行う変換方法であって、
互いに異なる音を表す音情報ごとに当該音情報と当該音情報に対応づけられた画像とを含む変換情報を、外部装置から受け取る第１受取ステップと、
画像情報を端末装置から受け取る第２受取ステップと、
前記変換情報を参照して、前記画像情報が表す画像に対応づけられた音情報を検索する検索ステップと、
前記検索ステップで検索された音情報を、前記外部装置に送信する送信ステップと、を含む変換方法。
【請求項４】
コンピュータに、
互いに異なる音を表す音情報ごとに当該音情報と当該音情報に対応づけられた画像とを含む変換情報を、外部装置から受け取る第１受取手順と、
画像情報を端末装置から受け取る第２受取手順と、
前記変換情報を参照して、前記画像情報が表す画像に対応づけられた音情報を検索する検索手順と、
前記検索手順で検索された音情報を、前記外部装置に送信する送信手順と、を実行させるためのプログラム。
【発明の詳細な説明】
【技術分野】
【０００１】
本発明は、電子機器、音出力方法、送信方法、変換方法およびプログラムに関する。
【背景技術】
【０００２】
特許文献１には、受信した画像情報が表す画像内の話者の唇の動きおよび形状を解析し、その解析の結果に応じた音を出力する携帯電話機が記載されている。
【０００３】
また、特許文献１には、受信した画像情報が表す画像内の話者の手話パタンを解析し、その解析の結果に応じた音を出力する携帯電話機、および、受信した画像情報が表す画像内の手書き文字パタンを解析し、その解析の結果に応じた音を出力する携帯電話機も記載されている。
【０００４】
さらに、特許文献１には、唇の動きや形状、手話または手書き文字等の画像解析に必要なユーザの各パタン（手話パタンや手書き文字パタン）を携帯電話機に予め登録しておく点も記載されている。
【先行技術文献】
【特許文献】
【０００５】
【特許文献１】特開２００４−１５２５０号公報
【発明の概要】
【発明が解決しようとする課題】
【０００６】
特許文献１には、画像解析に必要なユーザの各パタン、つまり、画像から音を生成するために必要な変換情報を、携帯電話機に予め登録しておく点は記載されているが、変換情報を携帯電話機に予め登録するための具体的な手法は記載されていない。
【０００７】
このため、例えば、特許文献１に記載の携帯電話機の所有者以外の者（以下「関係者」と称する）が、携帯電話機が存在する場所まで行き、携帯電話機を操作して変換情報を作成し、その変換情報を携帯電話機に登録する状況が考えられる。この場合、関係者は、携帯電話機を操作して変換情報を作成し、その変換情報を携帯電話機に登録するという煩わしい動作を行う必要があるという課題があった。
【０００８】
本発明の目的は、上述した課題を解決可能な電子機器、音出力方法、送信方法、変換方法およびプログラムを提供することである。
【課題を解決するための手段】
【００１１】
本発明の電子機器は、互いに異なる音を表す音情報ごとに当該音情報と当該音情報に対応づけられた画像とを含む変換情報を、外部装置から受け取る第１受取手段と、画像情報を端末装置から受け取る第２受取手段と、前記変換情報を参照して、前記画像情報が表す画像に対応づけられた音情報を検索する検索手段と、前記検索手段が検索した音情報を、前記外部装置に送信する送信手段と、を含む。
【００１４】
本発明の変換方法は、電子機器が行う変換方法であって、互いに異なる音を表す音情報ごとに当該音情報と当該音情報に対応づけられた画像とを含む変換情報を、外部装置から受け取る第１受取ステップと、画像情報を端末装置から受け取る第２受取ステップと、前記変換情報を参照して、前記画像情報が表す画像に対応づけられた音情報を検索する検索ステップと、前記検索ステップで検索された音情報を、前記外部装置に送信する送信ステップと、を含む。
【００１７】
本発明のプログラムは、コンピュータに、互いに異なる音を表す音情報ごとに当該音情報と当該音情報に対応づけられた画像とを含む変換情報を、外部装置から受け取る第１受取手順と、画像情報を端末装置から受け取る第２受取手順と、前記変換情報を参照して、前記画像情報が表す画像に対応づけられた音情報を検索する検索手順と、前記検索手順で検索された音情報を、前記外部装置に送信する送信手順と、を実行させる。
【発明の効果】
【００１８】
本発明によれば、画像から音を生成する電子機器の所有者以外の者（関係者）が、その電子機器を操作して変換情報を作成し、その電子機器に変換情報を登録する必要性を低くすることが可能になる。
【図面の簡単な説明】
【００１９】
【図１】本発明の第１実施形態の通信システムを示した図である。
【図２】携帯端末３を示したブロック図である。
【図３】辞書データＸ１を作成する動作を説明するためのフローチャートである。
【図４】辞書データＸ１を他の携帯端末に送信する動作を説明するためのフローチャートである。
【図５】辞書データＸ１を他の携帯端末から受け取る動作を説明するためのフローチャートである。
【図６】テレビ電話通信を行う動作を説明するためのフローチャートである。
【図７】音出力動作を説明するためのフローチャートである。
【図８】通信部３６と無線部３７と制御部３８と出力部３５からなる電子機器を示したブロック図である。
【図９】本発明の第２実施形態の通信システムを示した図である。
【図１０】サーバ４を示したブロック図である。
【発明を実施するための形態】
【００２０】
以下、本発明の実施形態を図面を参照して説明する。
【００２１】
（第１実施形態）
図１は、本発明の第１実施形態の通信システムを示した図である。
【００２２】
図１において、第１実施形態の通信システムは、携帯端末１と携帯端末２を含む。携帯端末１と携帯端末２は、一般的に電子機器または外部装置と呼ぶことができる。
【００２３】
図２は、携帯端末１や携帯端末２として用いられる携帯端末３を示したブロック図である。本実施形態では、携帯端末１および携帯端末２のそれぞれは、携帯端末３内の構成要素と同一の構成要素を含むものとする。
【００２４】
図２において、携帯端末３は、一般的に電子機器または外部装置と呼ぶことができる。携帯端末３は、例えば、携帯電話機、携帯型ゲーム機、または、ＰＤＡ（Personal Digital Assistants）等の携帯機器であり、テレビ電話機能を有する。
【００２５】
携帯端末３は、構成要素として、入力部３１と、撮像部３２と、マイク３３と、表示部３４と、出力部３５と、通信部３６と、無線部３７と、制御部３８と、を含む。
【００２６】
入力部３１は、例えば、操作ボタンまたはタッチパネルであり、携帯端末３のユーザの操作を検出する。撮像部３２は、被写体（例えば、携帯端末３のユーザの顔）を撮像して被写体に応じた画像情報を生成する。以下では、被写体は、携帯端末３のユーザの顔であるとする。マイク３３は、例えば、携帯端末３のユーザの音声を受け付け、その音声に応じた音情報を生成する。表示部３４は、種々の情報を表示する。
【００２７】
出力部３５は、一般的に、音発生手段と呼ぶことができる。出力部３５は、例えば、イヤホンまたはスピーカであり、種々の音を出力する。
【００２８】
通信部３６は、一般的に、第１送信手段または第１受取手段と呼ぶことができる。通信部３６は、例えば、赤外線を用いて通信を行う赤外線通信部である。なお、通信部３６は、赤外線通信部に限らず、情報を送信し情報を受け取るものであれば適宜変更可能である。
【００２９】
無線部３７は、一般的に、第２送信手段または第２受取手段と呼ぶことができる。無線部３７は、例えば、電波を用いて外部装置とテレビ電話通信を行う。
【００３０】
制御部３８は、一般的に検索手段と呼ぶことができる。
【００３１】
制御部３８は、携帯端末３を制御する。制御部３８は、処理部３８ａと記憶部３８ｂとを含む。
【００３２】
処理部３８ａは、例えば、入力部３１の検出結果に応じて種々の動作を制御する。
【００３３】
記憶部３８ｂは、種々のデータを記憶する。
【００３４】
次に、動作の説明を行う。
【００３５】
まず、画像情報に応じた音情報を特定するために必要な辞書データＸ１を作成する動作を説明する。
【００３６】
図３は、辞書データＸ１を作成する動作を説明するためのフローチャートである。
【００３７】
入力部３１が辞書作成開始操作を検出すると（ステップＳ３０１）、処理部３８ａは、携帯端末３のユーザに発声させる日本語の５０音のそれぞれを、表示部３４に順番に表示すると共に、撮像部３２からの画像情報に応じた画像も表示部３４に表示する（ステップＳ３０２）。
【００３８】
この際、撮像部３２が携帯端末３のユーザの顔を撮像するように、携帯端末３のユーザは、撮像部３２の向きを調整する。このため、撮像部３２は、表示部３４の表示に従って日本語の５０音のそれぞれを発声している携帯端末３のユーザの顔を撮像する。
【００３９】
なお、携帯端末３のユーザに発声させる音は、日本語の５０音以外の音でもよい。
【００４０】
処理部３８ａは、表示部３４に表示した音ごとに、その音を表す音情報と、その音を発生しているときの携帯端末３のユーザの顔を表す画像と、を含む辞書データＸ１を作成する（ステップＳ３０３）。辞書データＸ１では、表示部３４に表示した音ごとに、その音を表す音情報と、その音を発生しているときの携帯端末３のユーザの顔を表す画像とが、互いに対応づけられている。例えば、辞書データＸ１では、「あ」の音を表す音情報と「あ」の音を発声しているときの携帯端末３のユーザの顔を表す画像とが、互いに対応づけられる。
【００４１】
なお、辞書データＸ１は、一般的に、互いに異なる音情報ごとに音情報とその音情報に対応づけられた画像とを含む変換情報と呼ぶことができる。
【００４２】
辞書データＸ１が完成すると、処理部３８ａは、辞書データＸ１を記憶部３８ｂに記憶する（ステップＳ３０４）。
【００４３】
なお、記憶部３８ｂには、複数の単語を示す辞書データＸ２と、複数の単語の各々の発音を表す発音情報を示す辞書データＸ３も記憶されている。また、発音情報が表す発音は、声に限らない。
【００４４】
また、辞書データＸ１が完成する前に、入力部３１が、辞書データＸ１の作成を中止する旨の辞書作成中止操作を検出した場合には、処理部３８ａは、辞書データＸ１の作成を中止する。この際、処理部３８ａは、作成が中止された辞書データＸ１を破棄してもよい。
【００４５】
次に、辞書データＸ１を他の携帯端末に送信する動作を説明する。
【００４６】
図４は、辞書データＸ１を他の携帯端末に送信する動作を説明するためのフローチャートである。
【００４７】
記憶部３８ｂ内に辞書データＸが記憶されている状況で、入力部３１が、辞書データＸ１を他の携帯端末に送信する旨の送信操作を検出すると（ステップＳ４０１）、処理部３８ａは、記憶部３８ｂ内の辞書データＸ１を読み出し、その読み出された辞書データＸ１を通信部３６から送信する（ステップＳ４０２）。
【００４８】
次に、辞書データＸ１を他の携帯端末から受け取る動作を説明する。
【００４９】
図５は、辞書データＸ１を他の携帯端末から受け取る動作を説明するためのフローチャートである。
【００５０】
通信部３６が、他の携帯端末で作成された辞書データＸ１を外部装置（例えば、他の携帯端末）から受信すると（ステップＳ５０１）、処理部３８ａは、他の携帯端末で作成された辞書データＸ１を変換用辞書データＹ１として、記憶部３８ｂに記憶する（ステップＳ５０２）。なお、変換用辞書データＹ１は、一般的に変換情報と呼ぶことができる。
【００５１】
次に、通信相手である他の携帯端末とテレビ電話通信を行う動作を説明する。
【００５２】
図６は、テレビ電話通信の動作を説明するためのフローチャートである。
【００５３】
入力部３１が、通信相手である他の携帯端末とのテレビ電話通信を開始する旨のテレビ電話開始操作を検出すると（ステップＳ６０１）、処理部３８ａは、通信相手とのテレビ電話通信を開始する（ステップＳ６０２）。
【００５４】
なお、通信相手とのテレビ電話通信では、処理部３８ａは、撮像部３２からの画像情報とマイク３３からの音情報とを、無線部３７から通信相手へ送信し、また、通信相手からの画像情報と音情報とを無線部３７で受信し、通信相手からの画像情報に応じた画像を表示部３４で表示し、通信相手からの音情報に応じた音を出力部３５から出力する。
【００５５】
次に、他の携帯端末とテレビ電話通信を行っている状況で、変換用辞書データＹ１を参照して、通信相手からの画像情報に応じた音情報を検索し、その音情報に応じた音を出力する動作（以下「音出力動作」と称する）を説明する。
【００５６】
なお、音出力動作は、通信相手からの音情報に応じた音が聞き取り難いまたは聞こえない場合（例えば、通信相手である他の携帯端末のユーザが、音声を用いた通話を禁止されている場所にいる場合）に用いられる。
【００５７】
図７は、音出力動作を説明するためのフローチャートである。
【００５８】
テレビ電話通信中に、入力部３１が、音出力動作を開始する旨の音出力動作開始操作を検出すると（ステップＳ７０１）、処理部３８ａは、記憶部３８ｂ内の変換用辞書データＹ１を参照して、通信相手からの画像情報が表す画像に対応づけられた音情報を検索する（ステップＳ７０２）。
【００５９】
処理部３８ａは、その検索された音情報に応じた音を、通信相手からの音情報に応じた音の代わりに、出力部３５から出力する（ステップＳ７０３）。
【００６０】
本実施形態では、処理部３８ａは、テレビ電話通信中に、入力部３１が音出力動作開始操作を検出すると、記憶部３８ｂ内の変換用辞書データＹ１を参照して、通信相手からの画像情報が表す画像に対応づけられた音情報を、文字単位（５０音のそれぞれの音単位）で検索する。
【００６１】
処理部３８ａは、音情報を文字単位で検索すると、記憶部３８ｂ内の辞書データＸ２を参照して、文字単位の音情報の組み合わせに対応する単語を特定する。処理部３８ａは、単語を特定すると、記憶部３８ｂ内の辞書データＸ３を参照して、その単語の発音情報を読み出す。処理部３８ａは、発音情報を読み出すと、その発音情報を出力部３５に出力し、出力部３５から発音情報が表す音を出力させる。
【００６２】
なお、音出力動作の実行中に、入力部３１が、音出力動作を終了する旨の音出力動作終了操作を検出すると、処理部３８ａは、音出力動作を終了する。
【００６３】
次に、本実施形態の効果を説明する。
【００６４】
本実施形態によれば、携帯端末３では、通信部３６は、外部装置から辞書データＸ１を受信する。無線部３７は、画像情報を受け取る。制御部３８は、通信部３６が受信した辞書データＸ１を参照して、無線部３７が受け取った画像情報が表す画像に対応づけられた音情報を検索する。出力部３５は、制御部３８が検索した音情報に応じた音を出力する。
【００６５】
このため、辞書データＸ１を携帯端末３に登録したいユーザ（例えば、携帯端末３の所有者以外の関係者）は、携帯端末３と異なる外部装置から、辞書データＸ１を携帯端末３に送信すれば、辞書データＸ１を携帯端末３に登録することできる。
【００６６】
したがって、関係者が携帯端末３を操作して辞書データＸ１を作成して辞書データＸ１を携帯端末３に登録する必要性を低くすることが可能になる。
【００６７】
なお、この効果は、通信部３６と無線部３７と制御部３８と出力部３５からなる電子機器でも奏する。図８は、通信部３６と無線部３７と制御部３８と出力部３５からなる電子機器を示したブロック図である。
【００６８】
また、本実施形態によれば、携帯端末３では、通信部３６は、通信相手に辞書データＸ１を送信する。無線部３７は、通信相手に画像情報を送信する。この場合、関係者は、携帯端末３を用いて、辞書データＸ１を通信相手となる携帯端末（例えば、図１に示した携帯端末２）に送信することが可能になる。
【００６９】
また、本実施形態では、辞書データＸ１において、互いに異なる音として、日本語の５０音が用いられる。この場合、画像を用いて日本語の５０音を出力することが可能になる。
【００７０】
なお、本実施形態では、電子機器として、携帯端末が用いられたが、電子機器は携帯端末に限らず適宜変更可能であり、例えば、タブレット型ＰＣ（パーソナルコンピュータ）またはノート型ＰＣ等のＰＣでもよい。
【００７１】
また、本実施形態では、通信部３６が辞書データＸ１の通信を行ったが、通信部３７が通信部３６を兼ねてもよい。この場合、通信部３７が辞書データＸ１の通信を行うことになる。
【００７２】
また、携帯端末３は、コンピュータにて実現されてもよい。この場合、コンピュータは、コンピュータにて読み取り可能なＣＤ−ＲＯＭ（Compact Disk Read Only Memory）のような記録媒体に記録されたプログラムを読込み実行して、入力部３１、撮像部３２、マイク３３、表示部３４、出力部３５、通信部３６、無線部３７および制御部３８として機能する。記録媒体は、ＣＤ−ＲＯＭに限らず適宜変更可能である。
【００７３】
（第２実施形態）
図９は、本発明の第２実施形態の通信システムを示した図である。図９において、図１に示したものと同一構成のものには同一符号を付してある。
【００７４】
第２実施形態の通信システムでは、画像情報が表す画像に対応づけられた音情報を検索する動作をサーバ４が行う。
【００７５】
図９において、第２実施形態の通信システムは、携帯端末１と、携帯端末２と、サーバ４と、を含む。携帯端末１は、一般的に、外部装置と呼ぶことができる。携帯端末２は、一般的に、端末装置と呼ぶことができる。
【００７６】
本実施形態では、携帯端末１では、制御部３８は、携帯端末１のユーザが作成した辞書データＸ１に、携帯端末１を特定するための識別情報を付加し、携帯端末１の識別情報が付加された辞書データＸ１を、無線部３７からサーバ４に送信する。
【００７７】
また、携帯端末１では、携帯端末２とのテレビ電話通信の開始に伴い、無線部３７が、撮像部３２からの画像情報とマイク３３からの音情報とを、携帯端末１の識別情報と共に、携帯端末２へ送信する。なお、撮像部３２は、携帯端末１のユーザの顔を撮像しているとする。
【００７８】
携帯端末２では、携帯端末１とのテレビ電話通信の開始に伴い、無線部３７が、携帯端末１から、画像情報と音情報と携帯端末１の識別情報とを受信する。
【００７９】
携帯端末２では、制御部３８は、携帯端末１からの画像情報と音情報と携帯端末１の識別情報とを記憶しつつ、携帯端末１からの画像情報に応じた画像を表示部３４に表示し、携帯端末１からの音情報に応じた音を出力部３５から出力する。
【００８０】
このとき、例えば、携帯端末２のユーザは、携帯端末１からの音情報に応じた音が聞き取り難いまたは聞こえない場合（例えば、通信相手である携帯端末１のユーザが、音声を用いた通話を禁止されている場所にいる場合）、携帯端末１からの画像情報をサーバ４に送信する旨の画像送信操作を入力部３１に対して行う。
【００８１】
携帯端末２において、入力部３１が、携帯端末１からの画像情報をサーバ４に送信する旨の画像送信操作を検出すると、制御部３８は、携帯端末１からの画像情報と携帯端末１の識別情報とを、通信部３７からサーバ４に送信する。
【００８２】
図１０は、サーバ４を示したブロック図である。
【００８３】
図１０において、サーバ４は、受信部４１と、受信部４２と、検索部４３と、送信部４４と、を含む。検索部４３は、格納部４３ａと制御部４３ｂとを含む。サーバ４は、一般的に電子機器と呼ぶことができる。
【００８４】
受信部４１は、一般的に第１受取手段と呼ぶことができる。
【００８５】
受信部４１は、携帯端末１から、携帯端末１のユーザが作成した辞書データＸ１と携帯端末１の識別情報とを受け取る。
【００８６】
受信部４２は、一般的に第２受取手段と呼ぶことができる。
【００８７】
受信部４２は、携帯端末２から、携帯端末１からの画像情報と携帯端末１の識別情報とを受け取る。
【００８８】
なお、受信部４１が受信部４２を兼ねてもよい。この場合、受信部４１は、携帯端末２から、さらに、携帯端末１からの画像情報と携帯端末１の識別情報とを受け取る。
【００８９】
検索部４３は、一般的に検索手段と呼ぶことができる。
【００９０】
検索部４３は、携帯端末１のユーザが作成した辞書データＸ１を参照して、携帯端末２から受信した画像情報が表す画像に対応づけられた音情報を検索する。
【００９１】
格納部４３ａは、種々の情報を格納する。
【００９２】
制御部４３ｂは、受信部４１が、携帯端末１から、携帯端末１のユーザが作成した辞書データＸ１と携帯端末１の識別情報とを受信すると、携帯端末１のユーザが作成した辞書データＸ１と携帯端末１の識別情報とを互いに関連づけて格納部４３ａに格納する。
【００９３】
また、制御部４３ｂは、格納部４３ａ内に携帯端末１の識別情報と関連づけられている辞書データＸ１が格納されている状況で、受信部４２が、携帯端末２から、携帯端末１からの画像情報と携帯端末１の識別情報とを受信すると、格納部４３ａ内で携帯端末１の識別情報と関連づけられている携帯端末１のユーザが作成した辞書データＸ１を参照して、携帯端末２から受信した画像情報（携帯端末１からの画像情報）が表す画像に対応づけられた音情報を検索する。
【００９４】
送信部４４は、一般的に、送信手段と呼ぶことができる。
【００９５】
送信部４４は、制御部４３ｂが検索した音情報を携帯端末２に送信する。
【００９６】
携帯端末２では、無線部３７が、サーバ４内の送信部４４から送信された音情報を受信すると、制御部３８は、その音情報に応じた音を、携帯端末１からの音情報に応じた音の代わりに、出力部３５から出力する。
【００９７】
本実施形態によれば、サーバ４では、受信部４１が、携帯端末１から辞書データＸ１を受信する。受信部４２が、携帯端末２から画像情報を受信する。検索部４３は、辞書データＸ１を参照して、携帯端末２から受信した画像情報が表す画像に対応づけられた音情報を検索する。送信部４４は、検索部４３が検索した音情報を、画像情報の送信元である携帯端末２に送信する。
【００９８】
このため、辞書データＸ１を携帯端末２に使用させたいユーザ（例えば、携帯端末２の所有者以外の者）は、携帯端末２と異なる外部装置から、辞書データＸ１をサーバ４に送信すれば、辞書データＸ１を携帯端末３に使用させることできる。
【００９９】
したがって、携帯端末２の所有者以外の者が、携帯端末２を操作して辞書データＸ１を作成して辞書データＸ１を携帯端末２に登録する必要性を低くすることが可能になる。なお、この効果は、受信部４１と受信部４２と検索部４３と送信部４４とからなる電子機器（図１０参照）でも奏する。
【０１００】
また、この場合、携帯端末１内の通信部３６および携帯端末２内の通信部３６が削除されもよい。
【０１０１】
なお、サーバ４は、コンピュータにて実現されてもよい。この場合、コンピュータは、コンピュータにて読み取り可能な記録媒体に記録されたプログラムを読込み実行して、受信部４１、受信部４２、検索部４３および送信部４４として機能する。
【０１０２】
また、上記各実施形態では、画像情報が表す画像として、携帯端末のユーザの顔が用いられたが、画像情報が表す画像は、携帯端末のユーザの顔に限らず適宜変更可能である。例えば、画像情報が表す画像として、アニメのキャラクタの顔が用いられてもよい。この場合、辞書データＸ１が表す画像も、画像情報が表す画像に応じて変更される。例えば、画像情報が表す画像が、アニメのキャラクタの顔である場合、辞書データＸ１が表す各画像は、５０音分のキャラクタの顔となる。
【０１０３】
また、上記各実施形態では、携帯端末は、画像情報を無線部３７で受け取ったが、画像情報を記録した記録媒体から、不図示の読取部で画像情報を読み取って、画像情報を受け取ってもよい。
【０１０４】
以上説明した各実施形態において、図示した構成は単なる一例であって、本発明はその構成に限定されるものではない。
【０１０５】
また、上記各実施形態の一部又は全部は、以下の付記のようにも記載されうるが、以下には限られない。
【０１０６】
（付記１）互いに異なる音を表す音情報ごとに当該音情報と当該音情報に対応づけられた画像とを含む変換情報を、外部装置から受け取る第１受取手段と、
画像情報を受け取る第２受取手段と、
前記変換情報を参照して、前記画像情報が表す画像に対応づけられた音情報を検索する検索手段と、
前記検索手段が検索した音情報に応じた音を出力する音発生手段と、を含む電子機器。
【０１０７】
（付記２）付記１に記載の電子機器に、前記変換情報を送信する第１送信手段と、
付記１に記載の電子機器に、前記画像情報を送信する第２送信手段と、を含む電子機器。
【０１０８】
（付記３）互いに異なる音を表す音情報ごとに当該音情報と当該音情報に対応づけられた画像とを含む変換情報を、外部装置から受け取る第１受取手段と、
画像情報を端末装置から受け取る第２受取手段と、
前記変換情報を参照して、前記画像情報が表す画像に対応づけられた音情報を検索する検索手段と、
前記検索手段が検索した音情報を、前記外部装置に送信する送信手段と、を含む電子機器。
【０１０９】
（付記４）付記１から３のいずれか１項に記載の電子機器において、
前記互いに異なる音は、日本語の５０音である、電子機器。
【０１１０】
（付記５）付記１に記載の電子機器と、付記２に記載の電子機器と、を含む通信システム。
【０１１１】
（付記６）電子機器が行う音出力方法であって、
互いに異なる音を表す音情報ごとに当該音情報と当該音情報に対応づけられた画像とを含む変換情報を、外部装置から受け取る第１受取ステップと、
画像情報を受け取る第２受取ステップと、
前記変換情報を参照して、前記画像情報が表す画像に対応づけられた音情報を検索する検索ステップと、
前記検索ステップで検索された音情報に応じた音を出力する音発生ステップと、を含む音出力方法。
【０１１２】
（付記７）電子機器が行う送信方法であって、
付記１に記載の電子機器に、前記変換情報を送信する第１送信ステップと、
付記１に記載の電子機器に、前記画像情報を送信する第２送信ステップと、を含む送信方法。
【０１１３】
（付記８）電子機器が行う変換方法であって、
互いに異なる音を表す音情報ごとに当該音情報と当該音情報に対応づけられた画像とを含む変換情報を、外部装置から受け取る第１受取ステップと、
画像情報を端末装置から受け取る第２受取ステップと、
前記変換情報を参照して、前記画像情報が表す画像に対応づけられた音情報を検索する検索ステップと、
前記検索ステップで検索された音情報を、前記外部装置に送信する送信ステップと、を含む変換方法。
【０１１４】
（付記９）コンピュータに、
互いに異なる音を表す音情報ごとに当該音情報と当該音情報に対応づけられた画像とを含む変換情報を、外部装置から受け取る第１受取手順と、
画像情報を受け取る第２受取手順と、
前記変換情報を参照して、前記画像情報が表す画像に対応づけられた音情報を検索する検索手順と、
前記検索手順で検索された音情報に応じた音を出力する音発生手順と、を実行させるためのプログラム。
【０１１５】
（付記１０）コンピュータに、
付記１に記載の電子機器に、前記変換情報を送信する第１送信手順と、
付記１に記載の電子機器に、前記画像情報を送信する第２送信手順と、を実行させるためのプログラム。
【０１１６】
（付記１１）コンピュータに、
互いに異なる音を表す音情報ごとに当該音情報と当該音情報に対応づけられた画像とを含む変換情報を、外部装置から受け取る第１受取手順と、
画像情報を端末装置から受け取る第２受取手順と、
前記変換情報を参照して、前記画像情報が表す画像に対応づけられた音情報を検索する検索手順と、
前記検索手順で検索された音情報を、前記外部装置に送信する送信手順と、を実行させるためのプログラム。
【符号の説明】
【０１１７】
１、２、３  携帯端末
３１        入力部
３２        撮像部
３３        マイク
３４        表示部
３５        出力部
３６        通信部
３７        無線部
３８        制御部
３８ａ      処理部
３８ｂ      記憶部
４          サーバ
４１        受信部
４２        受信部
４３        検索部
４３ａ      格納部
４３ｂ      制御部
４４        送信部
【図１】
0005713391.tif 000002
【図２】
0005713391.tif 000003
【図３】
0005713391.tif 000004
【図４】
0005713391.tif 000005
【図５】
0005713391.tif 000006
【図６】
0005713391.tif 000007
【図７】
0005713391.tif 000008
【図８】
0005713391.tif 000009
【図９】
0005713391.tif 000010
【図１０】
0005713391.tif 000011